(57)【特許請求の範囲】
【請求項１】
内部に光源、当該光源からの光を映像光に変換する手段、前記映像光を拡大して投射する光学系を備え、その一部から前記光学系の一部を外部に突出させ、近距離の垂直面に投写映像を拡大投写するプロジェクタ装置本体と、
前記プロジェクタ装置本体を、映像の投射面である前記垂直面に対し、略垂直に直立し、かつ、水平に保持する保持部材と、
前記保持部材により略水平に保持された前記プロジェクタ装置本体の外周側面を取り囲むように配置され、かつ、前記垂直面に固定されるカバー部材とを有する壁掛け式プロジェクタ装置であって、
前記カバー部材は、垂直方向において、前記プロジェクタ装置本体の外周側面を覆う高さを備えていると共に、その一部には、当該プロジェクタ装置本体からの排気を外部に放出するための排気手段と、当該プロジェクタ装置本体への駆動電力や入力信号の供給のためのケーブルを内部に配線するためのケーブル配線手段が設けられているものであり、
前記カバー部材の前記排気手段は、前記プロジェクタ装置本体に対して、前記映像の投射面の反対側に設けられており、前記プロジェクタ装置本体からの排気は、前記プロジェクタ装置本体から、前記映像の投射面の反対側に向けて排出され、前記排気手段を介して前記カバー部材の外へ排出される、
ことを特徴とする壁掛け式プロジェクタ装置。
【請求項２】
請求項１に記載した壁掛け式プロジェクタ装置において、
前記カバー部材は、更に、その内壁面側に、前記配置されたプロジェクタ装置本体の底面に隣接して配置されるテーブル状の部材により前記ケーブル配線手段を構成していることを特徴とする壁掛け式プロジェクタ装置。
【請求項３】
請求項１に記載した壁掛け式プロジェクタ装置において、
前記カバー部材は、前記光学系の一部を外部に突出させた状態の上記プロジェクタ装置本体の高さよりも高いことを特徴とする壁掛け式プロジェクタ装置。
【請求項４】
請求項１に記載した壁掛け式プロジェクタ装置において、
前記カバー部材は、更に、その下部内壁面に、その内部に格納された前記プロジェクタ装置本体を下方からの視界から隠す鍔状の部材を備えていることを特徴とする壁掛け式プロジェクタ装置。
【請求項５】
請求項１に記載した壁掛け式プロジェクタ装置において、
前記カバー部材は、更に、上部の一部に、当該上部から前記映像の投射面である垂直面に対して照明光を照射する手段を備えていることを特徴とする壁掛け式プロジェクタ装置。
【請求項６】
請求項１に記載した壁掛け式プロジェクタ装置において、
前記カバー部材の側面部に、前記プロジェクタ装置本体で発生する熱を放熱するための前記排気手段を設けたことを特徴とする壁掛け式プロジェクタ装置。
【請求項７】
請求項６に記載した壁掛け式プロジェクタ装置において、
前記カバー部材の側面部の一部を着脱自在に形成し、当該着脱自在の部分に前記排気手段を設けたことを特徴とする壁掛け式プロジェクタ装置。
【請求項８】
請求項１に記載した壁掛け式プロジェクタ装置において、
前記カバー部材は底面部に鍔状部材を有し、当該鍔状部材を当該プロジェクタ装置本体への駆動電力や入力信号の供給のためのケーブルを載置保持する手段としたことを特徴とする壁掛け式プロジェクタ装置。
【発明の詳細な説明】
【技術分野】
【０００１】
本発明は、プロジェクタ装置に関し、特に、壁掛け式プロジェクタ装置の取り付け部材とそれを用いたプロジェクタ装置に関する。
【背景技術】
【０００２】
各種の映像を投写する投射光学装置であるプロジェクタ装置は、外部からの映像信号を入力してその映像を拡大してパネルや壁面等に投射するための手段としても広く利用されてきており、一般的には、例えば、机上に設置した状態で、拡大した映像をスクリーンや壁面上に投写する。しかしながら、例えば、以下の特許文献１にも既に知られるように、投射光学装置であるプロジェクタを天井に吊り下げて映像をスクリーンや壁面上に投写するためのプロジェクタ天吊り装置は、既に知られている。
【０００３】
また、以下の特許文献２によれば、投射光学装置であるプロジェクタを天井に吊り下げて円筒型に形成されたスクリーン（投影面）上に投射するプロジェクションシステムも既に知られている。
【０００４】
加えて、以下の特許文献３、４又は５によれば、映像を投射する壁面の上方に取り付け、プロジェクタの姿勢（位置および傾き角度）を高精度に調整可能なプロジェクタ支持装置も既に知られている。
【先行技術文献】
【特許文献】
【０００５】
【特許文献１】特開２０００−１２２１８０号公報
【特許文献２】特開２００７−２１８９４５号公報
【特許文献３】特開２０１１−１６４１４０号公報
【特許文献４】特開２０１２−１８１７２１号公報
【特許文献５】特開２０１２−３２４６６号公報
【発明の概要】
【発明が解決しようとする課題】
【０００６】
特に、近年の投射光学装置では、自由曲面ミラーや自由曲面レンズを含む投写レンズ系の種々の改良により、映像光の大きな傾斜にもかかわらず、台形歪を低減した投写映像が得られることから、当該投射光学装置から映像が投写される壁面（スクリーン）までの距離を著しく短くしたプロジェクタが広く用いられている。そのため、上記特許文献１や２により知られるプロジェクタを天井に吊り下げる支持構造に替えて、上記特許文献３〜５で知られるような、即ち、映像が投写される壁面（スクリーン）に、直接、当該投射光学装置を取り付ける、壁面上への支持装置が注目されている。
【０００７】
しかしながら、上述した従来技術、特に、上記特許文献３になるプロジェクタ装置の投影面（壁面）上への支持構造では、壁面に固定された吊り下げ部材（紐、ワイヤ、ロープな等の線材、チェーン或いは帯状の部材）によりプロジェクタ装置を吊り下げて支持する構造であることから、プロジェクタ装置を壁面に押し付ける力（当接力）は、当該装置への重力を水平方向に分離したものとなり、プロジェクタ装置を壁面に対して安定的に保持するには適していない構造であった。
【０００８】
更に、上記の特許文献４や５により知られるプロジェクタ支持装置は、当該装置自体が比較的大型の構造となり、例えば、一般家庭の室内などの壁面に簡便に取り付けて使用することに適した構造でとは言えず、プロジェクタ装置を取り付けた際の違和感や意匠性についても考慮されていなかった。
【０００９】
そこで、本発明は、上述した従来技術における問題点に鑑みて達成されたものであり、特に、一般家庭の室内など、映像を投射する壁面に、直接、比較的簡単に取り付けて使用することを可能であり、かつ、その取り付けに際にしても室内の壁面に違和感を生じることなく、即ち、その意匠性にも優れた壁掛け式プロジェクタ装置の取り付け部材と、それを用いたプロジェクタ装置を提供することをその目的とする。
【課題を解決するための手段】
【００１０】
上記の目的を達成するために、本発明によれば、以下の特許請求の範囲にも記載するように、まず、内部に光源、当該光源からの光を映像光に変換する手段、前記映像光を拡大して投射する光学系を備え、その一部から前記光学系の一部を外部に突出させ、近距離の垂直面に投写映像を拡大投写するプロジェクタ装置本体と、前記プロジェクタ装置本体を、映像の投射面である前記垂直面に対し、略垂直に直立し、かつ、水平に保持する保持部材と、前記保持部材により略水平に保持された前記プロジェクタ装置の外周側面を取り囲むように配置され、かつ、前記垂直面に固定されるカバー部材とを有する壁掛け式プロジェクタ装置であって、前記カバー部材は、垂直方向において、前記プロジェクタ装置の外周側面を覆う高さを備えていると共に、その一部には、当該プロジェクタ装置からの排気を外部に放出するための排気手段と、当該プロジェクタ装置への駆動電力や入力信号の供給のためのケーブルを内部に配線するための手段が設けられている壁掛け式プロジェクタ装置が提供される。
【００１１】
また、本発明によれば、一部からその光学系の一部を外部に突出させ、近距離から垂直面に投写映像を拡大投写する壁掛け式プロジェクタ装置本体を、映像の投射面である当該垂直面に対して設置するための取り付け部材であって、前記投写映像が拡大投写される前記垂直面の一部に取り付けられるベース部材と、当該ベース部材から植立して設けられ、前記垂直面の一部に固定されて、当該プロジェクタ装置を略水平に保持する脚部とを有する保持部材と、前記保持部材により略水平に保持された前記プロジェクタ装置の外周側面を取り囲むように配置され、かつ、前記垂直面に固定されるカバー部材とを有してなり、前記カバー部材は、垂直方向において、前記プロジェクタ装置の外周側面を覆う高さを備えていると共に、その一部には、当該プロジェクタ装置からの排気を外部に放出するための排気手段と、当該プロジェクタ装置への駆動電力や入力信号の供給のためのケーブルを内部に配線するための手段を設けた壁掛け式プロジェクタ装置の取り付け部材が提供される。
【発明の効果】
【００１２】
上述した本発明によれば、比較的簡単に壁面等に取り付けて使用することが可能で、かつ、意匠性にも優れた壁掛け式プロジェクタ装置の取り付け部材とそれを用いたプロジェクタ装置が提供されるという実用的にも優れた効果を発揮する。
【図面の簡単な説明】
【００１３】
【図１】本発明の一実施の形態になる壁掛け式プロジェクタ装置の本体部である映像投写表示装置の外観を示す斜視図である。
【図２】本発明になる壁掛け式プロジェクタ装置の本体部である映像投写表示装置の他の外観を示す斜視図である。
【図３】本発明の壁掛用の取り付け部材を用い、上記プロジェクタ装置を、映像投射面である垂直面（壁面）に取り付ける状態を示す分解斜視図である。
【図４】垂直面（壁面）に取り付けられ、当該垂直面（壁面）に映像を投射している状態のプロジェクタ装置を示す側面図である。
【図５】本発明の他の実施の形態になる壁掛け式プロジェクタ装置の、特に、カバー部材の詳細構造を示す斜視図である。
【図６】カバー部材と、プロジェクタ装置から、当該装置が取り付けられる壁面（垂直面）上に投射される画面サイズＳとの関係を説明する図である。
【図７】本発明の他の実施の形態になる壁掛け式プロジェクタ装置のカバー部材の詳細構造を示す斜視図である。
【図８】本発明の一実施の形態になる壁掛け式プロジェクタ装置の、特にカバー部材の他の実施の形態を説明する図であり、図６と同様の図である。
【図９】本発明に一実施の形態になる壁掛け式プロジェクタ装置の、特にカバー部材のさらに他の実施の形態を説明する図であり、図６と同様の図である。
【図１０】本発明の一実施の形態になる壁掛け式プロジェクタ装置を、キッチンに取り付けた場合を説明する図である。
【図１１】本発明の一実施の形態になる壁掛け式プロジェクタ装置の、カバー部材の各実施の形態を比較して説明する図である。
【発明を実施するための形態】
【００１４】
以下、本発明の一実施の形態になる壁掛式のプロジェクタ装置とそれを用いる取り付け部材について、添付の図面を参照しながら、詳細に説明する。尚、以下の説明においては、同じ構成要件については同じ参照番号を付して示しており、重複する説明を避ける。
【００１５】
まず、図１及び図２は、本発明になる壁掛け式プロジェクタ装置の本体部である映像投写表示装置のそれぞれ異なる角度からの外観を示す斜視図であり、これらの図において、当該映像投写表示装置は、その本体１を、底面と周囲の４側面を一体に形成した、外形が略矩形状の下側ケース２（なお、その詳細は、後にも説明する）と、その上面に配置されて固定される上側ケース３により構成されている。
【００１６】
また、これらの図からも明らかなように、この映像投写表示装置の上面である上側ケース３の略中央部が、所謂、丘陵状に盛り上がって形成されており（凸状部）、その一部には、即ち、開閉式ミラーカバー３１が、他の部分から切り離されると共に、外側に向かって所定の角度だけ回動可能に取り付けられている。そして、この開閉式ミラーカバー３１の内側には、光学系の一部である、凸面形状で回転非対称に形成された反射ミラー（自由曲面ミラー）３２が取り付けられる（図２を参照）と共に、また、上述したカバー部３の凸状部の内部には、主として、ここでは図示しないレンズ光学系が配置されており、そして、投写光を外部に導くための開口部３５が形成されている（図１を参照。なお、この図１では、レンズ光学系の最後の一部だけが当該開口部３５を介して示されている）。また、上側ケース３の表面には、フォーカス調整用の回転ツマミ３３や、各種入力用のプッシュボタンからなるタッチパネル式操作部３４などが、それぞれ、取り付けられている。
【００１７】
また、特に、上記の図２から明らかなように、映像投写表示装置は、その外形略矩形状の下側ケース２の一側面（上記開閉式ミラーカバー３１が設けられた側とは反対側の側面）には、映像投写表示装置の使用形態に対応して設置可能なように、本体と一体に形成された一対のスタンド脚５、５が取り付けられている。また、この下側ケース２の他の側面には、後にも説明するが、更に、商用電源からの交流電力を当該装置に供給する場合など電源ケーブルが差し込まれる電源インレット部６、内部の冷却を行うための空気を外部に吸入・排気するための開口部である吸入・排気口７、更には、ここでは図示しないが、当該映像投写表示装置により投写表示される映像を外部から入力するための端子板などが取り付けられている。また、下側ケース２の底面にも、図示しないが、冷却空気の吸入・排気口や、更には、当該装置の設置角度を調整するための傾斜調整脚８などが取り付けられている。
【００１８】
加えて、上述した映像投写表示装置の外形寸法は、その一例として、図１において矢印で示す幅＝Ｗ、奥行き＝Ｄ、高さ＝Ｈが、それぞれ、Ｗ＝２６５ｍｍ、Ｄ＝２００ｍｍ、Ｈ＝７０ｍｍに設定されており、所謂、Ａ４サイズに対応する寸法となっている。また、その重量は、装置全体として１．２ｋｇ程度と、比較的軽量に設定されている。即ち、簡易に設置して、投写することが可能となるように設計されている。なお、ここでは図示しないが、電源や光源と共に、当該光源からの光を外部からの映像信号などに基づいた映像光に変調する変調部（例えば、液晶パネル等の映像表示素子）と、当該映像光を壁面に対し、極めて近距離（大きな傾斜角度）からでも台形歪を低減して投写することが可能で、よって、優れた投写映像が得られる、所謂、自由曲面ミラーや自由曲面レンズを含む投写光学系を備えている。
【００１９】
続いて、上記の図３には、本発明になる壁掛用の取り付け部材を用いて映像を投射する面である垂直面（壁面）に、直接、取り付けられる際の状態を示している。即ち、図３にも示すように、本発明では、映像投写表示装置であるプロジェクタ装置の本体部１００の上下の主面を逆にし（即ち、底面１０１を上にし）、そして、自由曲面ミラーが取り付けられた窓部が開いた状態（設置の完了後に開く）で設置される。より具体的には、プロジェクタ装置の本体部１００の底面１０１には、装着補助部材（補助具）である保持手段２０を構成するベース部材２００が、例えば、複数（本例では４個）のネジ２０１など、所謂、固定手段により取り付けられる。
【００２０】
このベース部材２００は、本実施例では、例えば、アルミニウム又は切削し、又は、鉄板をパンチ加工により外形が略「日」字形状に形成された板状の部材であり、その所定の箇所には、上記ネジ２０１などを貫通・螺合するネジ穴２０２が複数個所に（本例では４個所）形成されており、その一端（例えば、底辺）には、やはりアルミニウム又は切削して、又は、鉄板をパンチ加工により切り出した外形略三角形の壁掛脚部４００が一体に形成されている。より具体的には、ベース部材２００は、脚部４００の高さ方向の略中央部から水平に植立する構造となっている。この壁掛脚部４００は、一般的な壁（即ち、プロジェクタ装置１００からの投射光により映像が写し出される壁面（垂直面）３００）に対して、ここでは図示しないが、例えば、ネジ等を利用することにより、所定の位置に取り付けることにより、プロジェクタ装置１００が所定の角度で、壁面（垂直面）３００）に対して植立する構造となっている。なお、図では、ネジ等を利用する場合に当該ネジを通すための貫通穴４０３が、三角形の部材の各角部付近にそれぞれ形成されている。
【００２１】
本発明による取り付け部材は、上述したベース部材２００や脚部４００を含む保持手段２０に加え、更に、プロジェクタ装置の外周側面を取り囲むように配置され、かつ、前記垂直面に固定されるカバー部材５０を有している。より詳細に説明すると、このカバー部材５０は、本実施例では、例えば、半透明の合成樹脂部材を円弧状に形成した２枚の板状部材５１、５２と、これら２枚の板状部材の間に配置された、不透明な合成樹脂部材を円弧状に湾曲して形成した板状部材５３の、合計３枚の板状部材から構成されている。そして、図３からも明らかなように、これら３枚の板状部材のうち、中央部の板状部材５３は、壁面の内部に位置すると想定される中心から一定の距離（曲率半径）の円弧に沿って、他方、上記板状部材５３の上下に配置される２枚の板状部材５１、５２は、上記中心位置から、但し、上記の距離よりも僅かに短い曲率半径の円弧に沿って形成されており、また、これら３枚の板状部材５１、５２、５３は、それぞれの間が、連結部５４により、互いに接合されている。また、これら３枚の板状部材５１、５２、５３の両端部５５は、一体にして内側に「Ｖ」字状に折り曲げられており、その一部には、ネジ等を利用して壁面（垂直面）３００に固定する場合に当該ネジを通すための貫通穴５６が形成されている。
【００２２】
続いて、図４には、プロジェクタ装置１００を上述したベース部材２００や脚部４００を含む保持手段２０、更には、カバー部材５０を、映像が投写される壁面３００に、直接、取り付けた状態を示している。なお、プロジェクタ装置１００は、上記保持手段２０により、ほぼ垂直に直立するように配置されるが、より厳密には、本例では、図のθ＝９１．３３度となるようになっている。即ち、上記のカバー部材５０は、上記脚部４００に対して僅かな角度（１．３３度）だけ下方に傾斜して取り付けられている。
【００２３】
また、この図４には、上記プロジェクタ装置１００から映像を投射している状態が示されている。この図４からも明らかなように、そのミラーカバー３１を開放した状態のプロジェクタ装置１００から映像光は、当該プロジェクタ装置１００が壁面３００上に、その上部から下方に向けて、壁面（スクリーン）までの距離を著しく短く、換言すれば、広角度で、所定の画面サイズＳで投射されて映し出されることとなる。
【００２４】
また、ここでは、図４からも明らかなように、プロジェクタ装置の外周側面を取り囲むように配置されたカバー部材５０は、その高さ「ｈ」）（より厳密には、３枚の板状部材５１、５２、５３の全体の高さ）が、上記プロジェクタ装置１００の高さ「Ｈ」とほぼ等しく又は大きくなるように、より好ましくは、本例では、上記プロジェクタ装置１００がそのミラーカバー３１を開放した状態での高さよりも大きくなる（即ち、カバー部材５０がプロジェクタ装置の外周を取り囲む）ように設定されている。即ち、上述した構成によれば、壁面３００上に取り付けられたプロジェクタ装置１００は、その水平方向においてカバー部材５０により覆われることから、室内の壁面に違和感を生じることなく設置・固定することが可能となる。
【００２５】
また、図４に矢印で示すように、プロジェクタ装置１００の動作中にその内部で冷却した空気は、その排気口７から放出された後、互いに曲率半径の異なる３枚の板状部材５１、５２、５３の隙間から外部に排気されることとなる。他方、外部から装置の内部に導入される空気も、同様にして、３枚の板状部材５１、５２、５３の隙間から内部に吸入されることとなる。即ち、本発明になる取り付け部材は、動作中のプロジェクタ装置１００に悪影響を及ぼすことなく、更には、当該プロジェクタ装置１００、特に、映像光を最後に壁面に向けて反射する反射ミラー（自由曲面ミラー）３２をその内部に収納するミラーカバー３１を外部からの接触等から保護することから、当該映像投写表示装置の安定した動作を提供することが可能となる。
【００２６】
続いて、上記に詳細に説明した本発明になる取り付け部材、特に、プロジェクタ装置の外周側面を取り囲むように配置されるカバー部材５０の更なる詳細や変形例について、以下に説明する。
【００２７】
まず、図５には、上述したカバー部材５０の内部に、商用電源からの電力をプロジェクタ装置１００に供給する電源ケーブル６０や映像信号入力用のケーブル（例えば、ＶＧＡやＨＤＭＩ(登録商標)ケーブル等）７０をその上面に配線するための手段、所謂、ケーブル用テーブル５７を、それぞれ、プロジェクタ装置の両側に隣接するように設けた例を示している。なお、これらのテーブル５７は、上記カバー部材５０を構成する３枚の板状部材のうち、上側及び中央部の２枚の板状部材５１、５３のうちの一方の内壁面に、一体に形成され、又は、取り付けられている。なお、本例では、上側板状部材５１の内壁面に一体に形成されたものを示している。かかるケーブル用テーブル５７を備えたカバー部材５０を利用することによれば、壁面上への取り付けを意識させることなく、室内において、意匠性に優れたプロジェクタ装置の設置を可能にするだけでなく、更には、プロジェクタ装置１００を壁面３００上に取り付ける際、形成された配線空間に配置するだけで、その外部からも認識され難い状態で、必要なケーブル（特に、映像信号を無線で送信する場合には、電源ケーブル）を配線することが可能となり、簡単な取り付け構造を可能とすることとなる。
【００２８】
図６は、上述したカバー部材５０と、上記ベース部材２００を壁面（垂直面）３００に取り付けることによりその内部に収納されたプロジェクタ装置１００から当該壁面（垂直面）３００上に投射される画面サイズＳとの関係を説明するための図である。即ち、この実施例では、図６からも明らかなように、プロジェクタ装置１００を構成する上述したミラーカバー３１の反射ミラー（自由曲面ミラー）３２から直下に、下方に向かって投射される映像光（図６（Ｂ）及び（Ｃ）における実線を参照）により、台形歪を低減した略方形（本例では、横長の長方形）の画面サイズＳの投写映像が得られる。そして、本例では、プロジェクタ装置からの投射により得られる画面サイズＳの幅を、上記カバー部材５０の幅とほぼ一致するように（なお、本例では、僅かに大きく）設定されている。
【００２９】
かかる設定によれば、カバー部材５０と投写映像とが一体的に認識されることから、意匠的にも優れ、また、装置の取り付けの際にも、カバー部材５０を基準として、壁面（垂直面）３００上に投射される画面サイズＳを想定することが出来ることから、その取り付け作業が容易なものとなる。
【００３０】
また、上記図６（Ａ）及び（Ｄ）にも示されるように、カバー部材５０の下部、例えば、上記カバー部材５０を構成する３枚の板状部材のうち、下側の板状部材５２の内壁面に、半月形状の鍔部８０を形成してもよい。即ち、この鍔部８０は、上述したカバー部材５０を下方から見上げた場合、その内部に格納されているプロジェクタ装置１００を視界から隠すためのものであり、不透明又は半透明な部材で形成されることが好ましい。しかしながら、この鍔部８０は、プロジェクタ装置１００から下方に投射される光を遮断する可能性があることから、投射光を遮断しないように形成される必要がある。
【００３１】
なお、上述した実施例では、カバー部材５０を構成する３枚の板状部材のうち、上下２枚の板状部材５１、５２を半透明の合成樹脂部材により形成し、残りの中央部の１枚の板状部材５３を半透明の合成樹脂部材により形成するものとして説明したが、本発明は上記した実施例に限定されるものではなく、これらの板状部材を、その全てを不透明又は半透明な部材で形成し、又は、不透明及び半透明な部材を適宜組み合わせて使用してもよい。
【００３２】
更に、図７にも示すように、上述したカバー部材５０の上部、即ち、例えば、上記カバー部材５０を構成する３枚の板状部材のうち、上側及び中央部の２枚の板状部材５１、５３のうちの一方の内壁面の一部に、発光手段として、例えば、発光ダイオード等で構成されたランプ９０を、複数個、照明光を上方に照射するように取り付けてもよい。なお、本例では、発光手段であるランプ９０を、上側の板状部材５１に取り付けた例を示している。かかる構成によれば、ランプ８０からの照明光により、上記カバー部材５０の上方をぼんやりとやわらかに照射することなどによれば（上記の図６（Ｂ）、（Ｃ）を参照）、その意匠性をより優れたものすることが可能となる。
【００３３】
次に、図８から図１１を用いて、カバー部材の他の実施の形態について説明する。図８は、カバー部材５０ａの他の実施の形態を説明する図であり、図９はカバー部材５０ｂのさらに他の実施の形態を説明する図である。これらの図８、９は、図６と同様の図である。図１０は、図９に示したさらに他の実施の形態のカバー部材５０ｂを、キッチンに取り付けた例を示す図である。図１１は、カバー部材５０〜５０ｂの各実施の形態の形状と大きさを比較する図である。同図の(I)欄には、上記図６に示したカバー部材５０を基準として記載している。カバー部材５０ａと、ベース部材２００を壁面（垂直面）３００に取り付けることにより、ベース部材２００にその底面１０１を上側にして取り付けたプロジェクタ装置１００から、当該壁面（垂直面）３００上に画面サイズＳの映像光が投射される。
【００３４】
なお図８(Ａ)は、壁面３００にベース部材２００を介してプロジェクタ装置１００を固定した時の上面図であり、図８(Ｂ)はその正面図、図８(Ｃ)はその側面図、図８(Ｄ)はその底面図である。図３と同様にプロジェクタ装置１００は上下逆さまに配置されるので、プロジェクタ装置１００を構成するミラーカバー３１の反射ミラー（自由曲面ミラー）３２から斜め下方に向かって映像光(図８(Ｂ)、(Ｃ)における一点鎖線)が投射される。投射された映像光が、台形歪を低減した略横長の長方形の画面サイズＳの投写映像として結実するよう、ミラーカバー３１およびベース部材２００の位置が設定される。この投射映像光がプロジェクタ装置１００の使用中に変化しないようにするのが、カバー部材５０ａを設けた理由の一つである。なお、図中の符号２２は、照明を示している。
【００３５】
ここで、図８に示したカバー部材５０ａは、図６の実施の形態で示したカバー部材５０とは、プロジェクタ装置１００の本体の幅方向長さ及び上下方向幅をカバーする最低の大きさまで低減している点で相違している。図６に示したカバー部材５０の場合には、業務用であれば主として展示パネル等の代わりの手段として用いるのに適している。また家庭用であれば、リビング等の比較的広い空間で大画面テレビの代わりの映像表示手段に適している。そのような場合には、カバー部材５０の存在がインテリアとして視聴者に不快感を与えることなく、投射画面に視線を集中できる。これに対して、例えば家庭での使用において、比較的狭小な空間である寝室に本実施の形態で示したプロジェクタ装置１００を取り付けると、プロジェクタ装置１００の存在が視聴者の視聴に影響を与える。そこで、狭小空間に取り付ける場合には、カバー部材５０ａの大きさも小さくすることが望まれる。
【００３６】
カバー部材５０ａを小さくすると、反射ミラー３２からの投影光がカバー部材５０ａにより部分的に遮られる恐れが生じる。そこで、本実施の形態では、カバー部材５０ａを図１１の第(II)欄に示したような形状としている。すなわち、前面側が曲率の小さい弧状に形成され、両側が壁面３００に垂直になるよう形成された上下方向に幅を有する板状部５０ａ１と、この板状部５０ａ１の上部側に連続し、内側に傾斜して形成された上下方向幅が狭い板状部５０ａ２と、幅広の板状部５０ａ１の下端に接続し、底面部を形成する鍔部８０ａとから、カバー部材５０ａを構成している。板状部５０ａ１の開放端側には、９０℃折り曲げた部分(両端部)５５ａが形成されており、この両端部５５ａにはカバー部材５０の場合と同様に、図示しない貫通穴５６が形成されている。鍔部材８０ａには、反射ミラー３２からの投影光が遮られないよう、およびミラーカバーの操作に支障がないよう、Ｕ字状切欠き８０ａ１が形成されている。鍔部材８０ａのＵ字状切欠き８０ａ１以外の部分であって板状部５０ａ１、５０ａ２に近い部分は、図６に示した実施の形態同様、電源ケーブル６０や映像信号入力用ケーブル７０を載置して保持するのに利用される。カバー部材５０ａでは、板状部５０ａ１，５０ａ２、鍔部材８０ａ、両端部５５ａが樹脂一体成形で成形されている。
【００３７】
カバー部材５０ａを小型化したため、プロジェクタ装置１００とカバー部材５０ａとの距離が接近する。そのため、プロジェクタ装置１００で発生した熱がプロジェクタ装置１００の吸入・排気口７から、スムーズに流出できなくなって熱がこもる恐れが生じる。プロジェクタ装置１００では、前面側及び両側面に吸入・排気口７が設けられているので、前面側からの排気は、カバー部材５０ａの鍔部材８０ａに形成したＵ字状切欠き８０ａ１を利用する。また、両側面からの吸排気用に、板状部５０ａ１の側面部に、図示しない排気手段を設ける。なお、本実施の形態のカバー部材５０ａは小型化を目的としているので、左右方向の長さが短くなっており、カバー部材５０ａを取り付けたままで電源ケーブル６０や映像信号入力用ケーブル７０を取り付けたり取り外したりするのが困難である。そのため、排気手段を着脱可能に形成するのが好ましい。これにより、ケーブル６０，７０の取付け時や取り外し時に、排気手段を取り外して作業することにより、作業性を向上させることが可能になる。また、本実施の形態のカバー部材５０ａは、プロジェクタ装置を使用中の状態では、小型化のためにミラーカバー３１の一部が下方にはみ出している。しかしながら、寝室等で使用する場合には、プロジェクタ装置１００からは視聴者が離れているので、プロジェクタ装置１００に触れる可能性は少なく、反射ミラー３２の位置がずれることはない。また、小型化によりプロジェクタ装置１００の威圧感が低下するので、視聴者には心地よい視聴が可能になる。
【００３８】
図９及び図１０は、カバー部材５０ｂのさらに他の実施の形態を説明する図である。本実施の形態では、上記実施の形態と異なり、プロジェクタ装置１００の上側（プロジェクタ装置１００自体は、上述したように逆さに配置されるので、プロジェクタ装置の底面１０１側）に近接して物体が配置されているので、上面側からアクセスすることができない。図１０は、例えばキッチンに配置したカップボード７１やシンクの例であり、上面側にもカップボード７１が配置されている例である。図１０(Ａ)は正面図であり、図１０(Ｂ)は側面図である。カップボード７１の上下方向中間部の空間を形成する壁面３００を、スクリーンとして用いて、料理のレシピの表示や家屋に付設した防犯カメラの映像のモニタに利用する。
【００３９】
カバー部材５０ｂは、図１１の(III)欄に示すように、前面側が曲率の小さい弧状に形成された板状部５０ｂ１と、この板状部５０ｂ１の下端側に連接し、内側に傾いて形成された弧状の板状部５０ｂ２と、板状部５０ｂ２の下端部に一端側が接続し、横方向に延びる鍔部８０ｂと、鍔部８０ｂの両側端に連接する側面部５０ｂ４と、側面部５０ｂ４から９０度折れ曲がった形状の両端部５５ｂとを有している。板状部５０ｂ１，５０ｂ２、鍔部８０ｂ、両端部５５ｂと側面部５０ｂ４の一部とは、樹脂一体成形されている。鍔部８０ｂの中央部には、反射ミラー３２の投射光が遮られるのを防止するためおよびミラーカバー３１の操作のために、開口部８０ｂ１が形成されている。鍔部８０ｂの側面部５０ｂ４近傍は、ケーブル６０，７０を載置して保持するために利用される。
【００４０】
本実施の形態に示したカバー部材５０ｂは、プロジェクタ装置１００を上下方向及び左右方向に完全に覆うことができるようにしているので、図８に示したカバー部材５０ａの他の実施の形態に比べ、左右の幅や上下方向の高さにゆとりはある。しかしながら、プロジェクタ装置１００の上側を作業空間として利用できないので、プロジェクタ装置１００にケーブル６０，７０を取付ける時や取り外す時には、カバー部材５０ｂの側面部を利用せざるを得ない。そのため、カバー部材５０ｂの側面部５０ｂ４の一部を、着脱自在に形成している。ここで、着脱自在に形成した側面部５０ｂ４の一部には、排気手段５０ｂ３が形成されている。排気手段５０ｂ３には、矩形状の多数の穴が形成されている。なおゴミ等が内部に入るのを防止するために、矩形状の穴の代わりにルーバー付きの穴としてもよい。この排気手段５０ｂ３を取り外すことにより、ケーブル６０，７０の作業が容易になる。
【００４１】
なお、本発明は上記した実施例に限定されるものではなく、様々な変形例が含まれる。例えば、上記した実施例は本発明を分かりやすく説明するために装置全体を詳細に説明したものであり、必ずしも説明した全ての構成を備えるものに限定されるものではない。装置は、縦向きに設置してもかまわないし、装置の情報に映像を投写してもかまわないが、但し、上方に映像を投写する場合は、ミラーカバー３１、反射ミラー３２等に埃などがかからないようにカバーをする必要がある。また、本発明では、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００４２】
１…本体、２…下側ケース、３…上側ケース、５…スタンド脚、６…電源インレット部、７…吸入・排気口、２０…保持手段、３１…ミラーカバー、３２…反射ミラー、３３…ツマミ、３４…タッチパネル式操作部、３５…開口部、５０〜５０ｂ…カバー部材、５０ａ１，５０ａ２…板状部、５０ｂ１，５０ｂ２…板状部、５０ｂ３…排気手段、５０ｂ４…側面部、５１〜５３…板状部材、５４…連結部、５５〜５５ｂ…両端部、５６…貫通穴、５７…ケーブル用テーブル、６０…電源ケーブル、７０…映像信号入力用ケーブル、８０〜８０ｂ…鍔部、８０ａ１…Ｕ字状切欠き、８０ｂ１…開口部、９０…ランプ、１００…プロジェクタ装置、１０１…底面、２００…、ベース部材、２０１…ネジ、２０２…ネジ穴、３００…壁面（垂直面）、４００…脚部、４０３…貫通穴、Ｓ…画面サイズ。
【図１】
0006474576.tif 000002
【図２】
0006474576.tif 000003
【図３】
0006474576.tif 000004
【図４】
0006474576.tif 000005
【図５】
0006474576.tif 000006
【図６】
0006474576.tif 000007
【図７】
0006474576.tif 000008
【図８】
0006474576.tif 000009
【図９】
0006474576.tif 000010
【図１０】
0006474576.tif 000011
【図１１】
0006474576.tif 000012